(57)【要約】【課題】本発明は、ビルディングなどの家屋の天井に天井裏点検口を新増設するに当って、ズレのない線引が手軽にできる線引用抜型定規を新規に提供することを課題とする。【解決手段】  本発明は四辺の外端面と四辺の内端面にてＪＩＳ規格に定める大中小の点検口を線引する大小２種にて抜型定規を形成し、それぞれの一面の相対辺間に取手を渡設するとともに各辺に天井線に合わせる合わせ線と仮止め用のルーズ穴を設け、他面を滑り止め面にて形成し提供して、課題を解決する。さらに取手の高さを高低して大小２種の抜型定規を一体に嵌め並べ可能にして保管と持ち運びを便利にして課題を満足させる。【選択図】  図１
2015200143.tif 000002
【特許請求の範囲】
【請求項１】
ビルディングなどの家屋の天井に天井裏の点検口を新増設するための線引用の抜型定規であって、該定規は四辺の外端面と内端面に沿ってＪＩＳ規格が定める大中小の点検口を線引する大小の２種にて形成し、それぞれの一面の相対辺間に取手を渡設するとともに各辺に天井線に合わせる合わせ線と仮止め用のルーズ穴を設け、他面を滑り止め面にて形成したことを特徴とする天井裏点検口を新増設するための線引用抜型定規。
【請求項２】
大小２種の抜型定規は取手の高さを高低して一体に嵌め並べ可能とする請求項１に記載の線引用抜型定規。
【発明の詳細な説明】
【技術分野】
【０００１】
本発明は天井裏点検口を新増設するための線引用抜型定規に関するものである。
【背景技術】
【０００２】
ビルディングなどの家屋の天井には天井裏に配管されているダクト設備，電気設備などを点検するために適所に例えば特開２０１４−１２９６３号公報に記載されている天井裏の点検口を設けている。
【０００３】
この天井裏の点検口は大中小のＪＩＳ規格サイズがあり、各サイズのひとつを天井に線引し穴明けして点検口器具を嵌め取付けするようにしている。しかしながらダクト設備等の変更等により近年天井裏の点検口を新増設することが多くなっている。
【特許文献１】特開２０１４−１２９６３号公報
【発明の開示】
【発明が解決しようとする課題】
【０００４】
点検口の線引作業をメジャー定規などで行うときは天井を仰ぐ上向きの作業によって容易でなく、天井ボードの天井線に合わせてズレのない線引きをすることが難しく、多大な労苦と時間を要して、なお不確実にしているという課題がある。
【課題を解決するための手段】
【０００５】
本発明は、四辺の外端面と内端面にて大中小の点検口を線引することができる大小２種の抜型定規を形成し、それぞれの一面の相対辺間に取手を渡設するとともに各辺に天井線に合わせる合わせ線と仮止め用のルーズ穴を設け、他面を滑り止め面にして、労苦なしに能率よく線引することができるようにして、かかる課題を解決する。
【発明の効果】
【０００６】
本発明の抜型定規は新増設しようとする天井裏点検口の線引を労苦なしに能率よく行うことができるという効果を生ずる。
【０００７】
取手を持つことで上向き作業を楽に行えるという効果を生ずる。
【０００８】
各辺に天井線に合わせる合わせ線を設けたので、天井との間の位置合わせが至極容易にできるという効果を生ずる。ズレ，傾きのない線引ができるという効果を生ずる。
【０００９】
各辺のルーズ穴を用いて定規を天井に仮止めすることで、線引作業をスムーズに行うことができるとう効果を生ずる。
【００１０】
抜型定規は天井に当たる一面を滑り止め面としたので、仮止めまたは線引作業時に定規がズレ動くことがないという効果を生ずる。
【００１１】
取手の高さを高低することで大小２種の抜型定規を嵌め並べてセットにすることができるという効果を生ずる。
【発明を実施するための最良の形態】
【００１２】
本発明は、四辺の外端面と四辺の内端面にてＪＩＳ規格寸法の大中小の天井裏点検口の線引が行えるように大小２種の抜型定規を形成し、一面の相対２辺間に取手を渡設し、各辺に天井線に合わせる合わせ線と天井に仮止めするためのルーズ穴を設け、他面を滑り止め面にしてなる。
【００１３】
新増設する点検口の大きさによって大小２種の型抜定規のうちのいずれかを選択し、取手を持って定規の合わせ線を天井線に合わせてビスなどによりルーズ穴を通して仮止めしておいて、四辺の外端面または四辺の内端面を定規にしてＪＩＳ規格大きさの正四角形の点検口を線引し、線引に沿って穴明けして、天井裏点検口の器具を嵌付け蓋閉めする。
【実施例１】
【００１４】
ビルディングなどの家屋の天井には耐火性，吸音性などにすぐれたロックウール（岩綿）製，石膏製などの天井ボードＡが張設されている。これらの天井ボードＡは図７に示すように３００ｍｍ×６００ｍｍ、４５５ｍｍ×９１０ｍｍなどの規格サイズにて提供されていて、半長ずらしで突合せ並列して張設される。
【００１５】
天井裏点検口Ｂを形成する器具としては図８に示すように天井に挿嵌する正方形の角枠体Ｃであり、その一辺を６０６ｍｍとするもの、同、４５５ｍｍとするもの、同、３０３ｍｍとする大中小のＪＩＳ規格サイズにて提供されていて、一般的に４５５ｍｍのものが広く採用されている。Ｄは旋回開閉自在または取外し自在の蓋である。
【００１６】
図１乃至図４はＪＩＳ規格の中サイズとしての一般的な抜型定規１を示す第１実施例であって、アルミ等の軽金属または強化プラスチックなど剛性に優れた薄平板にて等長の四辺を有す正四角形として形成する。
【００１７】
抜型定規１の各辺の外端面２の長さは前記した天井裏点検口Ｂの一辺４５５ｍｍの角枠体Ｃを挿嵌することができる４５６ｍｍ〜４５８ｍｍ内の同一長さとし、また内端面３の長さは天井裏点検口Ｂの一辺３０３ｍｍの小の角枠体Ｃを挿嵌することができる３０４ｍｍ〜３０６ｍｍ内の同一長さとする。
【００１８】
抜型定規１の四辺の外端面２と内端面３間の中央と、中央を挟んで１５０ｍｍの等距離の両側に天井ボードＡの突合せにて表れる天井線Ａ１に位置合わせするための位置合わせ線４ａ，４ｂ，４ｃを横断形成する。
【００１９】
また抜型定規１の各辺の角部と内外中間の適所に位置合わせした抜型定規１をビスＤで仮止めするための細長なルーズ穴５を設ける。
【００２０】
６は抜型定規１を天井に押し当て支えするための取手であり、さらに抜型定規１の天井側に面する一面７は位置決めした抜型定規１がずれないようにゴム板８ａなどを貼着して滑り止め面８にて形成する。ゴム板にかえて複数本の短針（図示してない）を植立して滑り止め面８とすることもできる。
【００２１】
天井裏点検口Ｂを新増設するときは、図２に示すように取手６を持って抜型定規１の合わせ線４ａ，４ｂ，４ｃのいずれかを天井線Ａ１に合わせて２〜４本のビスＥを以って抜型定規１を天井ボードＡ面に動かないように仮止めして、定規１の四辺の外端面２に沿って筆記具（図示してない）を用いて線引Ｆし、また一辺を３０３ｍｍの小サイズの角枠体Ｃを新増設するときは図３に示すように内端面３の四辺に沿って天井ボードＡ面に線引Ｆをするのである。定規１は天井側を滑り止め面８としているので線引作業の反動などで抜型定規１がズレ動いたりすることが全く生じないものとなる。なお線引Ｆは筆記具にかえてカッターなどにて切込線を入れることでもできる。
【００２２】
なお抜型定規１の位置合わせは点検口Ｂを新増設する天井の個所如何によって、３００ｍｍ×６００ｍｍの天井ボードＡにあっては図２に示す芯割り合わせとして中央の合わせ線４ａ，４ａを天井線Ａ１に合わせ、図３に示す芯跨ぎ合わせとして両側の合わせ線４ｂ，４ｃを両端の天井線Ａ１に合わせる２通りがある。４５０ｍｍ幅の芯跨ぎ合わせの際は、相対する外端縁２，２を基準にして芯合わせすることができる。
【００２３】
仮止めを解いて抜型定規１を外し、線引Ｆのとおりに下材を含む天井ボードＡに穴Ｈを明け、天井裏点検口Ｂを構成する角枠体Ｃを挿嵌して吊金具Ｇにて固定して天井ボードＡに対して平行且つ対称形にてズレ、傾きなどのない正確な天井裏点検口Ｂを新増設することとなる。明けた穴Ｈと角枠体Ｃとの間の数ｍｍの隙間は天井裏点検口Ｂの底面周囲に設けてある飾り縁Ｊにて被覆されるので外視されることはない。
【実施例２】
【００２４】
図５はＪＩＳ規格の大サイズと中サイズの天井点検口Ｂを新増設するための抜型定規１１を示す第２実施例であって、四辺の内端面３の長さをそれぞれ４５６ｍｍ〜４５８ｍｍ内の同一長さとし、四辺の外端面２の長さを６０７ｍｍ〜６０９ｍｍ内の同一長さとし、内端面３に沿った線引により中サイズ、外端面２に沿った線引により角枠体Ｃの一辺長さを６０６ｍｍとする大サイズの天井裏点検口Ｂを線引Fするようにしたのである。なお、四辺に設ける合わせ線は前例と同じ中央線４ａと両側の３００ｍｍ間隔の合わせ線４ｂ，４ｃのほか、その外側に中央線４ａより等距離で相互の間隔を４５５ｍｍ（中央線から各２２７.５ｍｍ）の合わせ線４ｄ，４ｅを設けて、４５５ｍｍ幅の天井ボードＡの天井線Ａ１において芯跨ぎ取付けにて合わせることができるようにしている。その他の構成と作用は前例と同じである。
【００２５】
中小用の抜型定規１は大中用の抜型定規１１内にぴったり入るサイズとなるので、図６に示すようにそれぞれの取手５の高さを高低することで、２つを嵌め並べて一体にすることができ、保管と持ち運びに便利なものとすることができる。
【産業上の利用可能性】
【００２６】
本発明は、ビルディングなどの家屋の天井に天井裏点検口を新増設する際の線引用定規として広く利用されるものである。
【図面の簡単な説明】
【００２７】
【図１】（ａ）は抜型定規を取手側から見た図、（ｂ）は反対側の一面図
【図２】抜型定規を天井線に対して芯割り合わせして仮止めした状態にて示す仰瞰図
【図３】同、天井線に対して芯跨ぎ合わせした状態の仰瞰図
【図４】線引に沿って明けた穴に点検口器具を取付けた状態にて示す側断面図
【図５】大サイズと中サイズ用の抜型定規の実施例を示す取手側から見た図
【図６】２種の抜型定規の側断面図（ａ）とこれを嵌め並べて一体にした状態（ｂ）にて示す側断面図
【図７】天井ボードの張設例を示す仰瞰図
【図８】点検口器具の１例を示す斜視図
【符号の説明】
【００２８】
１，１１は線引用の抜型定規
２は外端面
３は内端面
４ａ，４ｂ，４ｃ，４ｄ，４ｅは合わせ線
５はルーズ穴
６は取手
７は定規の一面
８は滑り止め面
８ａはゴム板
Ａは天井ボード
Ａ１は天井線
Ｂは天井点検口
Ｃは挿嵌用の筒体
Ｄは蓋
Ｅはビス
Ｆは線引
Ｇは吊金具
Ｈは穴
Ｊは飾り縁
【図１】
2015200143.tif 000003
【図２】
2015200143.tif 000004
【図３】
2015200143.tif 000005
【図４】
2015200143.tif 000006
【図５】
2015200143.tif 000007
【図６】
2015200143.tif 000008
【図７】
2015200143.tif 000009
【図８】
2015200143.tif 000010